(57)【要約】    【課題】  高ズーム比であり、全ズーム領域及び全フォーカス領域で高い光学性能を有し、高速なフォーカシングが容易なズームレンズを得ること。    【解決手段】  物体側より像側へ順に、正の屈折力の第１レンズ群、負の屈折力の第２レンズ群、正の屈折力の第３レンズ群、正の屈折力の第４レンズ群、負の屈折力の第５レンズ群を有し、ズーミングに際して第２レンズ群は不動で、第１レンズ群、第３レンズ群、第４レンズ群、第５レンズ群が移動するズームレンズであって、広角端に比べて望遠端において、第１レンズ群と第２レンズ群の間隔が大きく、第２レンズ群と第３レンズ群のレンズ群間隔が小さく、第３レンズ群の焦点距離をｆ３、第４レンズ群の焦点距離をｆ４を各々適切に設定すること。【選択図】    図１
2014106391.tif 000002
【特許請求の範囲】
【請求項１】
物体側より像側へ順に、正の屈折力の第１レンズ群、負の屈折力の第２レンズ群、正の屈折力の第３レンズ群、正の屈折力の第４レンズ群、負の屈折力の第５レンズ群を有し、
ズーミングに際して前記第２レンズ群は不動で、前記第１レンズ群、前記第３レンズ群、前記第４レンズ群、前記第５レンズ群が移動するズームレンズであって、
広角端に比べて望遠端において、前記第１レンズ群と前記第２レンズ群の間隔が大きく、前記第２レンズ群と前記第３レンズ群のレンズ群間隔が小さく、
前記第３レンズ群の焦点距離をｆ３、前記第４レンズ群の焦点距離をｆ４とするとき、
０．７＜ｆ３／ｆ４＜１．５
なる条件式を満足することを特徴とするズームレンズ。
【請求項２】
前記第１レンズ群の焦点距離をｆ１、広角端における全系の焦点距離をｆｗとするとき、
２．０＜ｆ１／ｆｗ＜２．８
なる条件式を満足することを特徴とする請求項１に記載のズームレンズ。
【請求項３】
前記第２レンズ群は光軸に対して垂直方向の成分を有する方向に移動して結像位置を光軸に対して垂直方向に移動し、前記第２レンズ群の焦点距離をｆ２、広角端における全系の焦点距離をｆｗとするとき、
０．３５＜｜ｆ２／ｆｗ｜＜０．６５
なる条件式を満足することを特徴とする請求項１又は２に記載のズームレンズ。
【請求項４】
前記第５レンズ群の焦点距離をｆ５、広角端における全系の焦点距離をｆｗとするとき、
０．６＜｜ｆ５／ｆｗ｜＜１．０
なる条件式を満足することを特徴とする請求項１乃至３のいずれか１項に記載のズームレンズ。
【請求項５】
前記第５レンズ群の最も広い空気間隔をＬ５ａとしたとき、
前記第５レンズ群は最も広い空気間隔を境に、物体側から像側へ順に、正の屈折力の第５１レンズ群、負の屈折力の第５２レンズ群より構成され、
前記第５２レンズ群の焦点距離をｆ５２とするとき、
５．０＜｜ｆ５２／Ｌ５ａ｜＜１１．５
なる条件式を満足することを特徴とする請求項１乃至４のいずれか１項に記載のズームレンズ。
【請求項６】
前記第５レンズ群は２つのレンズより構成されていることを特徴とする請求項１乃至５のいずれか１項に記載のズームレンズ。
【請求項７】
無限遠物体から近距離物体へのフォーカシングに際して、前記第５レンズ群は像側へ移動することを特徴とする請求項１乃至６のいずれか１項に記載のズームレンズ。
【請求項８】
広角端から望遠端へのズーミングに際して、前記第１レンズ群、前記第３レンズ群、前記第４レンズ群、前記第５レンズ群は物体側へ移動することを特徴とする請求項１乃至７のいずれか１項に記載のズームレンズ。
【請求項９】
前記第５レンズ群の像側に正の屈折力の第６レンズ群を有し、広角端から望遠端へのズーミングに際して、前記第１レンズ群、前記第３レンズ群、前記第４レンズ群、前記第５レンズ群、前記第６レンズ群は物体側へ移動することを特徴とする請求項１乃至７のいずれか１項に記載のズームレンズ。
【請求項１０】
前記第５レンズ群の像側に正の屈折力の第６レンズ群を有し、広角端から望遠端へのズーミングに際して、前記第１レンズ群、前記第３レンズ群、前記第４レンズ群、前記第５レンズ群は物体側へ移動し、前記第６レンズ群は不動であることを特徴とする請求項１乃至７のいずれか１項に記載のズームレンズ。
【請求項１１】
請求項１乃至１０のいずれか１項に記載のズームレンズと、前記ズームレンズによって形成される像を受光する固体撮像素子とを有することを特徴とする撮像装置。
【発明の詳細な説明】
【技術分野】
【０００１】
本発明はズームレンズ及びそれを有する撮像装置に関し、特にビデオカメラや電子スチルカメラ、放送用カメラ、監視カメラ等のように固体撮像素子を用いた撮像装置に好適なものである。
【背景技術】
【０００２】
近年、撮像装置としてのデジタル一眼レフフレックスカメラシステム（以下、「Ｄ−ＳＬＲ」という）は、ＣＣＤ、ＣＭＯＳなどの固体撮像素子をもつカメラ本体と、撮像センサー面に光学像を形成する撮像レンズ系を備えた交換レンズ装置とを備えている。交換レンズ装置に用いる撮影光学系としては、高ズーム比（高変倍比）で、しかも全ズーム範囲で高い光学性能を有した小型のズームレンズであることが要求されている。また自動合焦動作が迅速に行うことができるフォーカシング機能を有するズームレンズであること等が要求されている。
【０００３】
これらの要求に応えるズームレンズに望遠型のズームレンズがある。一方、Ｄ−ＳＬＲには静止画撮影だけではなく動画撮影を行うことも要望されている。合焦動作（フォーカス動作）動画撮影では静止画撮影時に行われている合焦動作を繰り返して行う必要がある。このときの合焦動作では、フォーカシングレンズ群を光軸方向に高速で振動させて（以下、「ウォブリング」という）合焦状態からのズレ方向を検出する。ウォブリングの後、撮像センサーの出力信号から画像領域の特定の周波数帯の信号成分を検出して、合焦状態となるフォーカシングレンズ群の最適位置を算出する。
【０００４】
その後、最適位置にフォーカシングレンズ群を移動させて合焦完了となる。動画撮影時はフリッカなどの違和感を感じさせない為に、フォーカシングレンズ群をウォブリング時に高速に駆動する必要がある。ウォブリングにより合焦動作を行う際に、フォーカシングレンズ群の重量が重いと、フォーカシングレンズ群を高速に駆動する為のモーターやアクチュエーターが大型化してくる。このため、鏡筒の最大径が大きくなってきて、交換レンズ装置が大型化してくる。
【０００５】
従来、望遠型で、高ズーム比のズームレンズにおいて、ウォブリングを像側の小型軽量のレンズ群を用いて高速かを図ったズームレンズが知られている（特許文献１乃至３）。
【０００６】
特許文献１乃至３では、望遠系のズームレンズ系において、開口絞りより像側の小型軽量のレンズ群をウォブリングさせて合焦動作を行っている。特許文献１、２では物体側から像側へ順に、正、負、正、正、負の屈折力の第１レンズ群乃至第５レンズ群よりなり、各レンズ群を移動させてズーミングを行い、小型軽量の第５レンズ群でフォーカシングを行ったズームレンズを開示している。
【０００７】
特許文献３では物体側から像側へ順に、正、負、正、正、負、正の屈折力の第１レンズ群乃至第６レンズ群よりなり、ズーミングに際して第１、第３、第４、第５レンズ群が移動する。そしてフォーカシングを第５レンズ群の一部の小型軽量のレンズ群で行ったズームレンズを開示している。
【先行技術文献】
【特許文献】
【０００８】
【特許文献１】特開平１０−３９２１５号公報
【特許文献２】特開２００９−１６８９３４号公報
【特許文献３】特開２０１２−５３４４４号公報
【発明の概要】
【発明が解決しようとする課題】
【０００９】
望遠型のズームレンズにおいて、高ズーム比化を図りつつレンズ系全体の小型化そして小型軽量のレンズ群で高速なフォーカシングを行うには、ズームタイプや各レンズ群の屈折力（パワー）、レンズ構成等を適切に設定することが重要になってくる。
【００１０】
例えば、前述した物体側より像側へ順に、正、負、正、正、負の屈折力の第１レンズ群乃至第５レンズ群を有するズームレンズでは、高ズーム比化を図りつつ、高速なフォーカスを行うのが容易である。この５群ズームレンズでは全系の小型化を図るには各レンズ群の屈折力やフォーカシングレンズ群のレンズ構成等を適切に設定することが重要となる。これらの構成等を適切に設定しないと、全系の小型化を図りつつ、高ズーム比で全ズーム範囲にわたり高い光学性能を有し、高速なフォーカシングを行うのが困難になってくる。
【００１１】
本発明は、高ズーム比であり、全ズーム領域及び全フォーカス領域で高い光学性能を有し、高速なフォーカシングが容易なズームレンズの提供を目的とする。
【課題を解決するための手段】
【００１２】
本発明のズームレンズは、物体側より像側へ順に、正の屈折力の第１レンズ群、負の屈折力の第２レンズ群、正の屈折力の第３レンズ群、正の屈折力の第４レンズ群、負の屈折力の第５レンズ群を有し、ズーミングに際して前記第２レンズ群は不動で、前記第１レンズ群、前記第３レンズ群、前記第４レンズ群、前記第５レンズ群が移動するズームレンズであって、広角端に比べて望遠端において、前記第１レンズ群と前記第２レンズ群の間隔が大きく、前記第２レンズ群と前記第３レンズ群のレンズ群間隔が小さく、前記第３レンズ群の焦点距離をｆ３、前記第４レンズ群の焦点距離をｆ４とするとき、
０．７＜ｆ３／ｆ４＜１．５
なる条件式を満足することを特徴としている。
【発明の効果】
【００１３】
本発明によれば、高ズーム比であり、全ズーム領域及び全フォーカス領域で高い光学性能を有し、高速なフォーカシングが容易なズームレンズが得られる。
【図面の簡単な説明】
【００１４】
【図１】本発明の実施例１の広角端におけるレンズ断面図
【図２】（Ａ）、（Ｂ）  本発明の実施例１の広角端、望遠端における収差図
【図３】本発明の実施例２の広角端におけるレンズ断面図
【図４】（Ａ）、（Ｂ）  本発明の実施例２の広角端、望遠端における収差図
【図５】本発明の実施例３の広角端におけるレンズ断面図
【図６】（Ａ）、（Ｂ）  本発明の実施例３の広角端、望遠端における収差図
【図７】本発明の実施例４の広角端におけるレンズ断面図
【図８】（Ａ）、（Ｂ）  本発明の実施例４の広角端、望遠端における収差図
【図９】本発明のズームレンズをデジタルカメラに適用したときの要部概略図
【発明を実施するための形態】
【００１５】
以下に、本発明の好ましい実施の形態を、添付の図面に基づいて詳細に説明する。本発明のズームレンズは、物体側より像側へ順に、正の屈折力の第１レンズ群、負の屈折力の第２レンズ群、正の屈折力の第３レンズ群、正の屈折力の第４レンズ群、負の屈折力の第５レンズ群を有している。ズーミングに際して第２レンズ群は不動で、第１レンズ群、第３レンズ群、第４レンズ群、第５レンズ群が移動する。このとき、広角端に比べて望遠端において第１レンズ群と第２レンズ群のレンズ群間隔が大きく、第２レンズ群と第３レンズ群のレンズ群間隔が小さくなる。
【００１６】
図１は本発明の実施例１のズームレンズの広角端（短焦点距離端）におけるレンズ断面図である。図２（Ａ）、（Ｂ）はそれぞれ実施例１のズームレンズの広角端、望遠端（長焦点距離端）における収差図である。図３は本発明の実施例２のズームレンズの広角端におけるレンズ断面図である。
【００１７】
図４（Ａ）、（Ｂ）はそれぞれ実施例２のズームレンズの広角端、中間ズーム位置、望遠端における収差図である。図９は本発明のズームレンズを備えるカメラ（撮像装置）の要部概略図である、各実施例のズームレンズはビデオカメラやデジタルカメラそして銀塩フィルムカメラ等の撮像装置に用いられる撮影レンズ系である。
【００１８】
レンズ断面図において左方が被写体側（物体側）（前方）で、右方が像側（後方）である。レンズ断面図において、Ｌ１は正の屈折力の第１レンズ群、Ｌ２は負の屈折力の第２レンズ群、Ｌ３は正の屈折力の第３レンズ群、Ｌ４は正の屈折力の第４レンズ群、Ｌ５は負の屈折力の第５レンズ群、Ｌ６は正の屈折力の第６レンズ群である。レンズ断面図においてＳは開口絞りである。
【００１９】
ＩＰは像面であり、ビデオカメラやデジタルスチルカメラの撮影光学系として使用する際にはＣＣＤセンサやＣＭＯＳセンサ等の固体撮像素子（光電変換素子）の撮像面に、銀塩フィルム用カメラのときはフィルム面に相当する感光面が置かれる。球面収差図ではｄ線（波長５８７．５６ｎｍ）、ｇ線（波長４３５．８ｎｍ）、Ｆ線（波長４８６．１ｎｍ）について示している。非点収差図において、Ｍ,Ｓは各々メリディオナル像面、サジタル像面である。歪曲収差はｄ線によって表している。倍率色収差はｇ線によって表している。
【００２０】
ωは半画角（撮影画角の半分の値）、ＦｎｏはＦナンバーである。尚、以下の各実施例において広角端と望遠端は変倍用レンズ群が機構上光軸上を移動可能な範囲の両端に位置したときのズーム位置をいう。各実施例において矢印は、広角端から望遠端へのズーミング又はフォーカスに際しての移動軌跡を示している。
【００２１】
本発明のズームレンズは物体側より像側へ順に、正の屈折力の第１レンズ群Ｌ１、負の屈折力の第２レンズ群Ｌ２、正の屈折力の第３レンズ群Ｌ３、正の屈折力の第４レンズ群Ｌ４、負の屈折力の第５レンズ群Ｌ５を有している。実施例１乃至３は第５レンズ群Ｌ５の像側に正の屈折力の第６レンズ群Ｌ６を有している。
【００２２】
無限遠物体から近距離物体へのフォーカシングに際して、第５レンズ群Ｌ５は像側へ移動する。また、少ないレンズ枚数でフォーカシングに際しての収差の変動を抑えるため、第５レンズ群Ｌ５内の最大空気間隔Ｌａによって物体側から像側へ順に、正の屈折力の第５１レンズ群Ｌ５１と負の屈折力の第５２レンズ群Ｌ５２に分けている。
【００２３】
そして屈折力の弱い第５１レンズ群Ｌ５１を軸上光束の入射高が高い物体側へ、屈折力の強い第５２レンズ群Ｌ５２を軸上光束の入射高が低い像側へ配置することで少ないレンズ枚数ながらフォーカシングに際しての収差変動を良好に補正している。特に球面収差・コマ収差を良好に補正している。これらによって、第５レンズ群Ｌ５の軽量化と全物体距離にわたり高い光学性能を得ている。
【００２４】
第５レンズ群Ｌ５の軽量化やフォーカシングに際しての収差変動を少なくするには、第３レンズ群Ｌ３と第４レンズ群Ｌ４になるべく均等にパワーを配置するのが良い。具体的には第３レンズ群Ｌ３と第４レンズ群Ｌ４の焦点距離を各々ｆ３、ｆ４とする。このとき、
０．７＜ｆ３／ｆ４＜１．５      ・・・（１）
なる条件式を満足するのが良い。
【００２５】
条件式（１）は、第３レンズ群Ｌ３と第４レンズ群Ｌ４の焦点距離の比を規定する。条件式（１）の上限を超えて第４レンズ群Ｌ４の屈折力が強くなると、フォーカシングの際の収差変動が大きくなってしまう。また、条件式（１）の下限を超えて第４レンズ群Ｌ４の屈折力が弱くなると第５レンズ群Ｌ５の軽量化が困難になる。更に、好ましくは条件式（１）の数値範囲を次の如く設定するのが良い。
【００２６】
０．８＜ｆ３／ｆ４＜１．１      ・・・（１ａ）
各実施例において、さらに好ましくは次の諸条件のうちの１以上を満足するのが良い。第１レンズ群Ｌ１の焦点距離をｆ１、第２レンズ群Ｌ２の焦点距離をｆ２とする。第５レンズ群Ｌ５の焦点距離をｆ５とする。広角端における全系の焦点距離をｆｗとする。第５レンズ群Ｌ５の最も広い空気間隔をＬ５ａとしたとき、第５レンズ群Ｌ５は最も広い空気間隔を境に、物体側から像側へ順に、正の屈折力の第５１レンズ群、負の屈折力の第５２レンズ群より構成され、第５２レンズ群の焦点距離をｆ５２とする。このとき、次の条件式のうち１以上を満足するのが良い。
【００２７】
２．０＜ｆ１／ｆｗ＜２．８          ・・・（２）
０．３５＜｜ｆ２／ｆｗ｜＜０．６５  ・・・（３）
０．６＜｜ｆ５／ｆｗ｜＜１．０      ・・・（４）
５．０＜｜ｆ５２／Ｌ５ａ｜＜１１．５・・・（５）
次に前述の各条件式の技術的意味について説明する。
【００２８】
条件式（２）は、第１レンズ群Ｌ１の焦点距離を規定する。望遠型のズームレンズでは第１レンズ群Ｌ１と第２レンズ群Ｌ２で収差が大きく発生する傾向にある。そのため、本発明のズームレンズでは第１レンズ群Ｌ１での変倍効果を第２レンズ群Ｌ２と第３レンズ群Ｌ３に振り分けることで、高性能化を図っている。
【００２９】
条件式（２）の上限を超えて第１レンズ群Ｌ１の屈折力が弱すぎると、所望のズーム比を得るために第１レンズ群Ｌ１の繰り出し量が増え、全系が大型化してしまう。条件式（２）の下限を超えて第１レンズ群Ｌ１の屈折力が強すぎるとズーミングに際しての像面湾曲の変動が大きくなるなど高性能化が難しくなる。更に好ましくは、条件式（２）の数値範囲を次の如く設定するのが良い。
【００３０】
２．１＜ｆ１／ｆｗ＜２．５          ・・・（２ａ）
各実施例のズームレンズは第２レンズ群Ｌ２を光軸に対して垂直方向の成分を有する方向に移動させて結像位置を光軸に対して垂直方向に移動させる防振機能を有している。防振レンズ群は屈折力を強くすれば防振の際の振り量が少なく、全系は小型化されるが、高い光学性能を得ることが難しくなる。よって、防振レンズ群の屈折力を適切に設定しなくてはならない。
【００３１】
条件式（３）は、第２レンズ群Ｌ２の焦点距離（屈折力の逆数）を規定する。条件式（３）の上限を超えて、第２レンズ群Ｌ２の屈折力が弱くなりすぎると、防振の際の振り量が増えてしまい全系の小型化が困難になる。一方、条件式（３）の下限を超えて第２レンズ群Ｌ２の屈折力が強くなると、防振の際の光学性能が悪化してしまう。更に好ましくは、条件式（３）の数値範囲を次の如く設定するのが良い。
【００３２】
０．４０＜｜ｆ２／ｆｗ｜＜０．５５    ・・・（３ａ）
フォーカス用の第５レンズ群の軽量化のためには第５レンズ群Ｌ５を少ないレンズ枚数で構成する必要がある。
【００３３】
一方で、小型化のためには第５レンズ群Ｌ５の屈折力をある程度強く持ち、フォーカシングに際しての移動量を小さくすることも必要である。よって、第５レンズ群Ｌ５の屈折力を適切に設定することが重要になってくる。
【００３４】
条件式（４）はフォーカス用のレンズ群である第５レンズ群Ｌ５の焦点距離を規定する。条件式（４）の上限を超えて、第５レンズ群Ｌ５の屈折力が弱くなってくると、フォーカシングに際しての移動量が増え、全系が大型化してくる。また、条件式（４）の下限を超えて、第５レンズ群Ｌ５の屈折力が強くなりすぎると、フォーカシングに際しての収差変動が大きくなってくる。更に好ましくは、条件式（４）の数値範囲を次の如く設定するのが良い。
【００３５】
０．６０＜｜ｆ５／ｆｗ｜＜０．９３      ・・・（４ａ）
一般的に、望遠型のズームレンズにおけるリアフォーカス方式ではフォーカスレンズ群の移動量が大きくなってくる。このため、フォーカシングに際しての収差変動、特に色収差変動が大きくなってくる。高い光学性能を得るにはフォーカスレンズ群が正レンズと負レンズを有するのが良い。第５レンズ群Ｌ５は負の屈折力であるので正レンズの屈折力が弱く、負レンズの屈折力が強くなる。
【００３６】
よって、軸上光束の入射高が高い被写体側に正の屈折力の第５１レンズ群Ｌ５１を軸上光束の入射高が低い像面側に負の屈折力の第５２レンズ群Ｌ５２を配置している。これにより、フォーカシングに際しての球面収差等を効率的に補正することを容易にしている。また、第５１レンズ群Ｌ５１と第５２レンズ群Ｌ５２で形成される空気レンズを利用することでコマ収差等も良好に補正している。
【００３７】
条件式（５）は、第５レンズ群Ｌ５内の最大空気間隔Ｌ５ａによって分けられる第５１レンズ群と第５２レンズ群の屈折力の配置を規定する。条件式（５）の上限を超えて、第５２レンズ群Ｌ５２の負の屈折力が弱くなりすぎると、フォーカシングに際しての移動量が増えて全系の小型化が困難になる。また、空気間隔Ｌ５ａが小さくなると製造時の位置敏感度が上がってしまう。条件式（５）の下限を超えて、第５２レンズ群Ｌ５２の負レンズの屈折力が強くなりすぎると少ないレンズ枚数での収差補正が困難になる。更に好ましくは、条件式（５）の数値範囲を次の如く設定するのが良い。
【００３８】
６．０＜｜ｆ５２／Ｌ５ａ｜＜１１．２      ・・・（５ａ）
以上のように本発明によれば、フォーカスレンズ群がコンパクトでフォーカシングの際の収差変動が少なく、高い光学性能を有したズームレンズ及びズームレンズを有する撮像装置が得られる。
【００３９】
次に各実施例のズームレンズのレンズ構成について説明する。実施例１のズームレンズは物体側から像側へ順に、次のとおりである。正の屈折力の第１レンズ群Ｌ１、負の屈折力の第２レンズ群Ｌ２、正の屈折力の第３レンズ群Ｌ３、正の屈折力の第４レンズ群Ｌ４、負の屈折力の第５レンズ群Ｌ５、正の屈折力の第６レンズ群Ｌ６からなる６群ズームレンズである。
【００４０】
第１レンズ群Ｌ１は、物体側から像側へ順に、物体側の面が凸形状の正レンズ、物体側の面が凸でメニスカス形状の負レンズと物体側の面が凸形状の正レンズとを接合した接合レンズから構成されている。第２レンズ群Ｌ２は、物体側から像側へ順に、物体側の面が凹形状の負レンズと物体側の面が凸でメニスカス形状の正レンズとを接合した接合レンズ、物体側の面が凹形状の負レンズから構成されている。
【００４１】
第３レンズ群Ｌ３は、物体側から像側へ順に、物体側の面が凸形状の正レンズ、物体側の面が凸形状の正レンズと物体側の面が凹形状の負レンズとを接合した接合レンズ、開口絞りＳから構成されている。第４レンズ群Ｌ４は、物体側から像側へ順に、像側の面が凹形状の負レンズ、物体側の面が凸形状の正レンズ、物体側の面が凸形状の正レンズから構成されている。
【００４２】
第５レンズ群Ｌ５は、物体側から像側へ順に、物体側の面が凹でメニスカス形状の正レンズ、物体側の面が凹形状の負レンズから構成されている。無限遠物体から至近距離物体への合焦（フォーカシング）の際に像側へ移動する。第６レンズ群Ｌ６は、物体側の面が凸形状の正レンズから構成されている。また、広角端から望遠端へのズーミングに際して、第１レンズ群Ｌ１、第３レンズ群Ｌ３、第４レンズ群Ｌ４、第５レンズ群Ｌ５は物体側へ移動する。第２レンズ群Ｌ２と第６レンズ群Ｌ６は不動である。
【００４３】
実施例２のズームレンズは６つのレンズ群よりなる６群ズームレンズであり、各レンズ群の屈折力、ズーミングに際しての各レンズ群の移動条件は実施例１と同じである。またフォーカシングに際しての移動条件も同じである。また各レンズ群のレンズ構成は実施例１と同じである。
【００４４】
実施例３のズームレンズは６つのレンズ群よりなる６群ズームレンズであり、各レンズ群の屈折力は実施例１と同じである。広角端から望遠端へのズーミングに際して第１レンズ群Ｌ１、第３レンズ群Ｌ３、第４レンズ群Ｌ４、第５レンズ群Ｌ５、第６レンズ群Ｌ６は物体側へ移動する。第２レンズ群Ｌ２は不動である。フォーカシングに際しては実施例１と同じである。各レンズ群のレンズ構成は実施例１と同じである。
【００４５】
実施例４のズームレンズは物体側から像側へ順に、正の屈折力の第１レンズ群Ｌ１、負の屈折力の第２レンズ群Ｌ２、正の屈折力の第３レンズ群Ｌ３、正の屈折力の第４レンズ群Ｌ４、負の屈折力の第５レンズ群Ｌ５からなる５群ズームレンズである。広角端から望遠端へのズーミングに際して第１レンズ群Ｌ１、第３レンズ群Ｌ３乃至第５レンズ群Ｌ５が物体側へ移動する。第２レンズ群Ｌ２は不動である。フォーカシングに際しては実施例１と同じである。第１レンズ群Ｌ１乃至第５レンズ群Ｌ５のレンズ構成は実施例１と同じである。
【００４６】
以上、本発明の好ましい実施形態について説明したが、本発明はこれらの実施形態に限定されず、その要旨の範囲内で種々の変形及び変更が可能である。
【００４７】
次に実施例１乃至４に示したズームレンズを撮像装置に適用した実施例を図９を用いて説明する。本発明の撮像装置はズームレンズを含む交換レンズ装置と、交換レンズ装置とカメラマウント部を介して着脱可能に接続され、ズームレンズが形成する光学像を受光して、電気的な画像信号に変換する撮像素子を含むカメラ本体とを備えている。
【００４８】
図９は一眼レフカメラの要部概略図である。図９において、１０は実施例１乃至４のズームレンズ１を有する撮影レンズである。ズームレンズ１は保持部材である鏡筒２に保持されている。２０はカメラ本体であり、撮影レンズ１０からの光束を上方に反射するクイックリターンミラー３、撮影レンズ１０の像形成位置に配置された焦点板４より構成されている。更に、焦点板４に形成された逆像を正立像に変換するペンタダハプリズム５、その正立像を観察するための接眼レンズ６などによって構成されている。
【００４９】
７は感光面であり、ＣＣＤセンサやＣＭＯＳセンサ等のズームレンズによって形成される像を受光する固体撮像素子（光電変換素子）や銀塩フィルムが配置される。撮影時にはクイックリターンミラー３が光路から退避して、感光面７上に撮影レンズ１０によって像が形成される。各実施例のズームレンズはクイックリターンミラーのないミラーレスのカメラにも同様に適用できる。
【００５０】
以下に実施例１乃至４に対応する数値実施例１乃至４を示す。各数値実施例においてｉは物体面からの面の順番を示す。数値実施例においてｒｉは物体側より順に第ｉ番目のレンズ面の曲率半径、ｄｉは物体側より順に第ｉ番目のレンズ厚及び空気間隔、ｎｄｉとνｄｉは各々物体側より順に第ｉ番目のレンズの材料の屈折率とアッベ数である。ＢＦはバックフォーカスである。尚、以下に記載する数値実施例１乃至４のレンズデータに基づく各条件式の計算結果を表１に示す。
【００５１】
（数値実施例１）
単位 mm 
面データ
面番号       r        d      nd         νd       有効径
1         75.822    4.04   1.48749    70.2       41.07 
2      -1012.039    0.15                         40.88 
3        103.585    1.50   1.65412    39.7       40.20 
4         40.402    6.21   1.48749    70.2       38.71 
5        309.896  (可変)                         38.24 
6       -175.936    1.00   1.72916    54.7       20.06 
7         21.469    3.11   1.84666    23.8       19.57 
8         56.355    1.83                         19.28 
9        -46.811    1.00   1.80400    46.6       19.28 
10        301.065  (可変)                         19.61 
11         60.758    3.11   1.61800    63.3       21.08 
12        -57.019    7.14                         21.17 
13         32.897    4.48   1.51633    64.1       20.09 
14        -37.170    1.00   1.90366    31.3       19.63 
15        151.138    2.00                         19.34 
16(絞り)    ∞     (可変)                         19.17 
17      -2306.862    1.00   1.74950    35.3       17.77 
18         37.719    0.83                         17.67 
19         82.429    2.64   1.60311    60.6       17.74 
20        -39.842    0.10                         17.84 
21         25.327    2.34   1.54072    47.2       17.47 
22         87.278  (可変)                         17.06 
23        -48.163    1.33   1.80518    25.4       15.36 
24        -31.164    4.85                         15.28 
25        -26.539    0.70   1.51823    58.9       14.13 
26         40.439  (可変)                         14.39 
27         44.282    1.55   1.68893    31.1       21.45 
28         59.437   37.49                         21.38 
像面        ∞ 
【００５２】
各種データ
ズーム比      4.27 
広角     中間     望遠
焦点距離      56.58   134.04   241.47  
Fナンバー      4.15     5.15     5.88  
半画角（度）  13.57     5.82     3.24  
像高          13.66    13.66    13.66  
レンズ全長   154.69   186.00   205.69  
BF            37.49    37.49    37.49  
d 5            7.00    38.31    58.00  
d10           29.92    12.19     1.00  
d16           21.90    14.16    17.23  
d22            2.00     5.04     4.00  
d26            4.47    26.90    36.06  
ズームレンズ群データ
群  始面    焦点距離  レンズ構成長  前側主点位置  後側主点位置
1    1     130.95        11.90        -1.12         -8.95 
2    6     -29.35         6.94         3.36         -1.25 
3   11      45.59        17.73        -1.33        -14.85 
4   17      52.88         6.90         4.48         -0.02 
5   23     -45.71         6.88         7.54          1.33 
6   27     241.99         1.55        -2.57         -3.45 
【００５３】
（数値実施例２）
単位 mm 
面データ
面番号       r        d      nd         νd       有効径
1         82.406    3.78   1.48749    70.2       41.07 
2      -1441.511    0.15                         40.90 
3        102.085    1.50   1.65412    39.7       40.29 
4         43.821    5.16   1.49700    81.5       38.99 
5        434.728  (可変)                         38.73 
6       -390.425    1.00   1.72916    54.7       19.93 
7         20.102    3.19   1.84666    23.8       19.31 
8         48.621    1.97                         18.93 
9        -44.138    1.00   1.80400    46.6       18.93 
10        243.626  (可変)                         19.26 
11         59.668    3.09   1.72916    54.7       20.95 
12        -57.807    5.02                         20.98 
13         31.185    3.91   1.48749    70.2       19.21 
14        -37.629    1.00   1.90366    31.3       18.78 
15        107.506    5.12                         18.42 
16(絞り)    ∞     (可変)                         17.90 
17       -402.067    1.00   1.74950    35.3       16.70 
18         38.772    0.67                         16.61 
19         87.555    3.70   1.60311    60.6       16.65 
20        -36.374    1.47                         16.85 
21         25.406    2.22   1.54072    47.2       16.27 
22         89.105  (可変)                         15.86 
23        -42.175    1.30   1.80518    25.4       14.28 
24        -29.178    4.27                         14.45 
25        -26.375    0.70   1.51823    58.9       14.05 
26         40.439  (可変)                         14.34 
27         80.255    1.66   1.68893    31.1       21.81 
28        210.811                                 21.86 
像面        ∞   
【００５４】
各種データ
ズーム比     4.27 
広角     中間     望遠
焦点距離      56.53   133.00   241.49  
Fナンバー      4.16     5.15     5.88  
半画角（度）  13.58     5.86     3.24  
像高          13.66    13.66    13.66  
レンズ全長   150.33   182.33   200.33  
BF            37.00    37.00    37.00  
d 5            7.00    39.00    57.00  
d10           28.48    12.29     1.00  
d16           18.20    10.96    12.42  
d22            2.00     4.77     3.67  
d26            4.77    25.43    36.36  
ズームレンズ群データ
群  始面    焦点距離  レンズ構成長  前側主点位置  後側主点位置
1    1     125.15        10.59        -0.34         -7.34 
2    6     -28.29         7.15         3.73         -1.08 
3   11      42.82        18.15        -2.23        -16.27 
4   17      51.94         9.06         6.46          0.35 
5   23     -43.75         6.27         6.37          0.85 
6   27     187.13         1.66        -0.60         -1.58 
【００５５】
（数値実施例３）
単位 mm 
面データ
面番号       r        d      nd         νd       有効径
1         70.708    4.54   1.48749    70.2       41.04 
2          ∞       0.15                         40.75 
3         96.801    1.70   1.65412    39.7       40.08 
4         38.081    6.35   1.48749    70.2       38.43 
5        328.523  (可変)                         37.99 
6       -184.565    0.80   1.71300    53.9       18.20 
7         19.233    2.61   1.80809    22.8       17.72 
8         43.170    2.06                         17.46 
9        -40.963    0.80   1.80400    46.6       17.46 
10      66857.597  (可変)                         17.78 
11        156.448    2.88   1.80400    46.6       20.73 
12        -53.274    2.84                         20.91 
13         30.717    5.21   1.49700    81.5       20.38 
14        -48.144    1.12   1.90366    31.3       19.66 
15        127.403    2.65                         19.32 
16(絞り)    ∞     (可変)                         19.04 
17        -85.617    1.00   1.80610    33.3       17.11 
18         39.709    0.36                         17.22 
19         57.007    3.21   1.72916    54.7       17.25 
20        -41.442    0.10                         17.46 
21         28.396    3.21   1.65844    50.9       17.24 
22        267.012  (可変)                         16.62 
23       -115.808    1.56   1.76182    26.5       15.22 
24        -39.330    2.16                         15.20 
25        -39.123    0.70   1.69680    55.5       14.42 
26         28.866  (可変)                         14.32 
27         46.017    2.60   1.54072    47.2       18.32 
28        131.738  (可変)                         18.40 
像面        ∞   
【００５６】
各種データ
ズーム比     4.25 
焦点距離      56.80   135.16   241.32    74.27   203.01    57.92  
Fナンバー      4.16     5.18     5.88     4.44     5.58     4.18  
半画角（度）  13.52     5.77     3.24    10.42     3.85     0.00  
像高          13.66    13.66    13.66    13.66    13.66     0.00  
レンズ全長   153.89   191.28   208.89   167.12   204.31   154.99  
BF            38.57    57.95    65.38    45.28    63.56    39.06  
d 5            5.87    43.27    60.87    19.11    56.30     6.97  
d10           24.92    11.82     1.50    20.90     4.95    24.67  
d16           19.96    13.68    16.56    17.26    14.94    19.72  
d22            4.10     3.40     2.05     3.85     2.60     4.06  
d26           11.86    12.56    13.91    12.11    13.36    11.90  
d28           38.57    57.95    65.38    45.28    63.56    39.06  
ズームレンズ群データ
群  始面    焦点距離  レンズ構成長  前側主点位置  後側主点位置
1    1     126.40        12.74        -1.18         -9.55 
2    6     -26.32         6.27         2.97         -1.41 
3   11      44.00        14.70        -1.15        -11.65 
4   17      42.70         7.88         4.46         -0.13 
5   23     -35.50         4.42         4.23          0.72 
6   27     129.41         2.60        -0.90         -2.57 
【００５７】
（数値実施例４）
単位 mm
面データ
面番号       r        d      nd         νd       有効径
1        145.876    3.06   1.48749    70.2       41.16
2        526.599    0.15                         40.97
3         91.482    1.50   1.59271    35.3       40.76
4         46.566    6.92   1.49700    81.5       39.91
5       -457.579  (可変)                         39.53
6       1220.841    1.00   1.71659    55.5       20.35
7         19.681    2.43   1.80809    22.8       19.64
8         39.998    2.51                         19.40
9        -36.479    1.20   1.78879    47.6       19.40
10       -257.070  (可変)                         19.91
11(絞り)    ∞       1.26                         20.66
12         99.885    2.41   1.73600    48.7       21.19
13        -67.545    5.00                         21.26
14         34.882    5.68   1.49700    81.5       20.58
15        -44.225    1.00   1.90366    31.3       19.86
16        179.893  (可変)                         19.65
17        309.116    1.50   1.84586    24.5       18.34
18         39.894    1.15                         18.18
19        105.376    4.55   1.51726    52.5       18.32
20        -40.778    0.50                         19.23
21         28.874    3.82   1.57108    39.0       20.22
22       4114.716  (可変)                         20.03
23       -140.662    1.81   1.66336    31.1       19.48
24        -41.765    4.55                         19.45
25        -33.416    0.70   1.62449    62.8       17.69
26         44.523  (可変)                         17.64
像面        ∞   
【００５８】
各種データ
ズーム比     4.40 
広角     中間     望遠
焦点距離      55.00   137.00   242.00  
Fナンバー      4.16     5.75     5.88  
半画角（度）  13.95     5.69     3.23  
像高          13.66    13.66    13.66  
レンズ全長   160.37   187.35   211.37  
BF            43.47    67.04    78.61  
d 5            7.00    33.98    58.00  
d10           30.11     8.11     1.00  
d16           23.11    17.74    19.07  
d22            4.00     7.80     2.00  
d26           43.47    67.04    78.61  
入射瞳位置    44.18    86.34   156.98  
射出瞳位置   -41.57   -36.52   -37.51  
前側主点位置  63.61    42.10  -105.34  
後側主点位置 -11.53   -69.96  -163.39  
ズームレンズ群データ
群  始面    焦点距離  レンズ構成長  前側主点位置  後側主点位置
1    1     127.13        11.63         1.82         -5.99
2    6     -29.54         7.14         3.48         -1.61
3   11      50.22        15.35        -0.53        -11.60
4   17      48.01        11.52         7.84          0.40
5   23     -50.00         7.06         8.56          2.16
単レンズデータ
レンズ  始面  焦点距離
1       1    412.80
2       3   -162.03
3       4     85.43
4       6    -27.92
5       7     45.51
6       9    -54.02
7      12     55.09
8      14     40.20
9      15    -39.20
10      17    -54.29
11      19     57.45
12      21     50.90
13      23     88.90
14      25    -30.46
【００５９】
【表１】
2014106391.tif 000003
【符号の説明】
【００６０】
Ｌ１    第１レンズ群      Ｌ２    第２レンズ群      Ｌ３    第３レンズ群
Ｌ４    第４レンズ群      Ｌ５    第５レンズ群      Ｌ６    第６レンズ群
Ｓ    虹彩絞り      Ｉ    像面
【図１】
2014106391.tif 000004
【図２】
2014106391.tif 000005
【図３】
2014106391.tif 000006
【図４】
2014106391.tif 000007
【図５】
2014106391.tif 000008
【図６】
2014106391.tif 000009
【図７】
2014106391.tif 000010
【図８】
2014106391.tif 000011
【図９】
2014106391.tif 000012